(57)【特許請求の範囲】
【請求項１】
引き戸、引違い戸、引込み戸、開き戸等の矩形状建具であって、一対の持ち手を建込み状態にて上下側となる縁部と平行になるように少なくとも正面又は背面に所定の高さだけ離間させて配置するとともに、該一対の持ち手に溝状開口を介して外部空間と連通する凹部空間を形成し、前記一対の持ち手のうち、上段配置された持ち手には前記溝状開口の下縁側に、下段配置された持ち手には前記溝状開口の上縁側にそれぞれ所定の手掛かりを形成したことを特徴とする建具。
【請求項２】
前記一対の持ち手を正面又は背面のいずれか一方に配置するとともに、該持ち手の凹部空間を所定の通気孔を介して他方の側の外部空間に連通させた請求項１記載の建具。
【請求項３】
前記一対の持ち手を正面及び背面にそれぞれ配置するとともに、一方に配置された前記持ち手の凹部空間を所定の通気孔を介して他方に配置された前記持ち手の凹部空間に連通させた請求項１記載の建具。
【請求項４】
正面及び背面のうち、一方の側から他方の側に抜ける視線が遮断されるように前記通気孔を構成した請求項２又は請求項３記載の建具。
【請求項５】
前記持ち手の非開口側側部を透光性を有する不透明部材で構成した請求項１記載の建具。
【発明の詳細な説明】
【０００１】
【発明の属する技術分野】
本発明は、引き戸、引違い戸、引込み戸、開き戸等の矩形状建具に関する。
【０００２】
【従来の技術】
引き戸、引違い戸、引込み戸、開き戸等の矩形状建具を取り付けたり、取り外したりする際、建具をつかんで持ち上げる必要がある。かかる場合は、両手で建具の両側方をそれぞれつかんで持ち上げていた。
【０００３】
【発明が解決しようとする課題】
しかしながら、従来のように建具の側方をつかんで持ち上げるには相応の握力及び腕力を必要とし、特に重い建具の場合には作業が非常に重労働となるという問題を生じていた。
【０００４】
また、各居室での十分な通気を確保する必要性から、特に開き戸の場合においては、建具の下方をカットすることも多いが、このようにすると、通気が床面近傍で集中して行われるため、特に冬場においては居室内で足下が冷えてしまうという問題も生じていた。
【０００５】
本発明は、上述した事情を考慮してなされたもので、取外し又は取付けを容易に行うとともに、十分な通気を確保することが可能な建具を提供することを目的とする。
【０００６】
【課題を解決するための手段】
上記目的を達成するため、本発明に係る建具は請求項１に記載したように、引き戸、引違い戸、引込み戸、開き戸等の矩形状建具であって、一対の持ち手を建込み状態にて上下側となる縁部と平行になるように少なくとも正面又は背面に所定の高さだけ離間させて配置するとともに、該一対の持ち手に溝状開口を介して外部空間と連通する凹部空間を形成し、前記一対の持ち手のうち、上段配置された持ち手には前記溝状開口の下縁側に、下段配置された持ち手には前記溝状開口の上縁側にそれぞれ所定の手掛かりを形成したものである。
【０００７】
また、本発明に係る建具は、前記一対の持ち手を正面又は背面のいずれか一方に配置するとともに、該持ち手の凹部空間を所定の通気孔を介して他方の側の外部空間に連通させたものである。
【０００８】
また、本発明に係る建具は、前記一対の持ち手を正面及び背面にそれぞれ配置するとともに、一方に配置された前記持ち手の凹部空間を所定の通気孔を介して他方に配置された前記持ち手の凹部空間に連通させたものである。
【０００９】
また、本発明に係る建具は、正面及び背面のうち、一方の側から他方の側に抜ける視線が遮断されるように前記通気孔を構成したものである。
【００１０】
また、本発明に係る建具は、前記持ち手の非開口側側部を透光性を有する不透明部材で構成したものである。
【００１１】
本発明に係る建具においては、一対の持ち手を建込み状態にて上下側となる縁部と平行になるように少なくとも正面又は背面に所定の高さだけ離間させて配置するとともに、該一対の持ち手に溝状開口を介して外部空間と連通する凹部空間を形成してあり、建具の取外しや取付けを行う際は、上段配置された持ち手の溝状開口の下縁側に形成した手掛かりに一方の手を掛けるとともに、下段配置された持ち手の溝状開口の上縁側に形成した手掛かりに他方の手を掛け、かかる状態で建具を持ち上げて、建具を取り付けたり取り外したりする。
【００１２】
このようにすると、一対の持ち手にそれぞれ形成された手掛かりに手を掛けて建具を持つことができるので、従来のように建具の両側方をつかむための握力を必要とせず、建具を持ち上げるための力が無駄なく伝わり、建具を持ち上げる際に必要な力が従来よりも低減される。
【００１３】
持ち手は、溝状開口を介して外部空間と連通する凹部空間を形成してあり、かかる溝状開口を介して凹部空間内に指を入れることができるのであれば該溝状開口や凹部空間をどのように構成するかは任意である。また、建具本体内の断面内に埋設するように構成するか、建具本体から突出するように構成するかも任意であるとともに、建具の幅に対してその幅をどう設定するかも任意である。
【００１４】
一対の持ち手を離間配置するにあたっては、手を掛けて建具を持ち上げる際の作業を考慮し、一対の持ち手が離れすぎたり近すぎたりして各持ち手を両手でつかむことが困難となることがないよう、適宜その離間高さを定めればよい。
【００１５】
また、一対の持ち手は建具の正面又は背面のいずれか一方にのみ配置するようにしてもかまわないし、両方に配置するようにしてもかまわない。
【００１６】
建具の正面又は背面は、面一に形成されることもあるが、中央部に大きな開口を設けてその開口にデザインガラスを嵌め込んだり、中央部の厚みをその周縁部の厚みよりも若干薄くすることによって意匠性を持たせるように形成されることが多い。したがって、上述した持ち手は、このような建具中央部の上縁と下縁に沿ってそれぞれ配置して建具全体の意匠に影響が出ないようにしたり、むしろ建具全体の意匠と一体化させるようにすることが考えられる。
【００１７】
手掛かりは、上段配置された持ち手にはその溝状開口の下縁側に、下段配置された持ち手にはその溝状開口の上縁側にそれぞれ設けることとなるが、手を掛けることができるのであればどのように形成するかは任意である。
【００１８】
ここで、一対の持ち手を正面又は背面のいずれか一方に配置するとともに、該持ち手の凹部空間を所定の通気孔を介して他方の側の外部空間に連通させた場合や、一対の持ち手を正面及び背面にそれぞれ配置するとともに、一方に配置された持ち手の凹部空間を所定の通気孔を介して他方に配置された持ち手の凹部空間に連通させた場合においては、建具を閉めた状態であっても、通気孔を介して一方の側と他方の側、すなわち、正面側と背面側との間で十分な通気が行われることとなる。
【００１９】
通気孔は、一対の持ち手のうち、どちらか一方にのみ設けるようにしてもかまわないし、両方の持ち手にそれぞれ設けるようにしてもかまわない。
【００２０】
また、通気孔は、通気することができるのであればどのように形成するかは任意であり、管状に形成するような場合のみならず、スリット状に形成する場合も含む。
【００２１】
ここで、正面及び背面のうち、一方の側から他方の側に抜ける視線が遮断されるように通気孔を構成した場合においては、通気孔を介して居室内をのぞかれるおそれがなくなり、居室内のプライバシーを確保することが可能となる。
【００２２】
通気孔は、視線を遮断することができるのであればどのように構成するかは任意であり、例えば、持ち手を正面又は背面のいずれか一方に配置した場合には、通気孔を湾曲状、Ｌ字状あるいは曲折状に形成することによって視線を遮断することが考えられる。また、持ち手を正面及び背面にそれぞれ配置した場合には、正面及び背面に配置された持ち手の凹部空間を直管状に形成された通気孔を介して互いに連通させることが考えられる。
【００２３】
また、持ち手の非開口側側部を透光性を有する不透明部材で構成した場合においては、該不透明部材を介して光が透過するため、例えば建具の正面側が廊下で背面側が居室の場合には、廊下から居室内の点灯を確認することができる。
【００２４】
不透明部材は、光を透過することができるのであれば、どのような材料を用いてもかまわないが、例えば、アクリル板や曇りガラスあるいはかすみガラスなどを用いることが考えられる。
【００２５】
【発明の実施の形態】
以下、本発明に係る建具の実施の形態について、添付図面を参照して説明する。なお、従来技術と実質的に同一の部品等については同一の符号を付してその説明を省略する。
【００２６】
図１は、本実施形態に係る建具を示した図で、(a)は正面図、(b)は背面図、(c)及び(d)は断面詳細図である。同図に示すように、本実施形態に係る建具１は、矩形状の開き戸であって、矩形状の中央部１１の周囲に該中央部よりも厚みを若干大きくした周縁部１２を設けることで意匠性を持たせてあるが、該建具の正面３には、かかる中央部１１の上縁及び下縁に沿って、言い換えれば建込み状態にて上下側となる縁部と平行になるように所定の高さ、すなわち中央部１１の高さだけ離間させて該中央部の幅を長さとする一対の持ち手２ａ，２ｂをそれぞれ配置してある。なお、一対の持ち手２ａ，２ｂを中央部１１の上縁及び下縁に沿って配置することにより、該一対の持ち手は、建具１全体の意匠と一体化しその意匠には影響を与えない。
【００２７】
ここで、一対の持ち手２ａ，２ｂには同図(c)及び(d)でよくわかるように、溝状開口４ａ，４ｂを介して外部空間５と連通する凹部空間６ａ，６ｂをそれぞれ形成してあり、該溝状開口を介して凹部空間６ａ，６ｂに指を差し入れることができるようになっている。
【００２８】
一対の持ち手２ａ，２ｂを離間配置するにあたっては、手を掛けて建具１を持ち上げる際の作業を考慮し、一対の持ち手２ａ，２ｂが離れすぎたり近すぎたりして各持ち手２ａ，２ｂを両手でつかむことが困難となることがないよう、適宜その離間高さ、すなわち、中央部１１の高さを定める。
【００２９】
また、上段配置された持ち手２ａには、図１(c)に示すように、溝状開口４ａの下縁側に手掛かり７ａを形成してあるとともに、下段配置された持ち手２ｂには、図１(d)に示すように、溝状開口４ｂの上縁側に手掛かり７ｂを形成してあり、該手掛かりに両手の指をそれぞれ掛けることで、建具１を持ち上げることができるようになっている。
【００３０】
一方、各持ち手２ａ，２ｂには、該持ち手の凹部空間６ａ，６ｂを他方の側、すなわち背面９側の外部空間１０に連通させる通気孔８を形成してある。
【００３１】
通気孔８は、正面３側から背面９側に抜ける視線が遮断されるようにＬ字状に曲げて形成してあるとともに、各持ち手２ａ，２ｂの長さ方向に沿って所定のピッチでそれぞれ複数形成してある。
【００３２】
本実施形態に係る建具１においては、建具１の取外しや取付けを行う際、図２に示すように、上段配置された持ち手２ａの溝状開口４ａの下縁側に形成された手掛かり７ａに例えば左手の指を掛けるとともに、下段配置された持ち手２ｂの溝状開口４ｂの上縁側に形成された手掛かり７ｂに右手の指を掛け、かかる状態で建具１を持ち上げる。
【００３３】
このようにすると、一対の持ち手２ａ，２ｂにそれぞれ形成された手掛かり７ａ，７ｂに手の指を掛けて建具１を持つことができるので、従来のように建具１の両側方をつかむための握力を必要とせず、建具１を持ち上げるための力が無駄なく伝わり、建具１を持ち上げる際に必要な力が従来よりも低減される。
【００３４】
以上説明したように、本実施形態に係る建具１によれば、一対の持ち手２ａ，２ｂを正面３に所定の高さだけ離間させて配置するとともに、該一対の持ち手に溝状開口４ａ，４ｂを介して外部空間５と連通する凹部空間６ａ，６ｂを形成し、該溝状開口を介して凹部空間６ａ，６ｂに指を差し入れて手掛かり７ａ，７ｂに指を掛けるようにしたので、建具１を楽な姿勢で持つことが可能となり、従来のように建具１の両側方をつかむための握力を必要とせず、建具１を持ち上げるための力が無駄なく伝わり、建具１を持ち上げる際に必要な力を従来よりも低減することができる。
【００３５】
また、本実施形態に係る建具１によれば、持ち手２ａ，２ｂに形成された凹部空間６ａ，６ｂを通気孔８を介して背面９側の外部空間１０に連通させたので、建具１を閉めた状態であっても、通気孔８を介して正面３側と背面９側との間で十分な通気を行うことが可能となる。
【００３６】
そのため、従来のように、通気が床面近傍で集中して冬場に足下が冷えるといった事態を未然に回避することが可能となり、居室内を快適な環境に維持することができる。
【００３７】
また、本実施形態に係る建具１によれば、正面３側から背面９側に抜ける視線が遮断されるように通気孔８を構成したので、該通気孔を介して居室内をのぞかれるおそれがなくなり、居室内のプライバシーを確保することが可能となる。
【００３８】
本実施形態では、通気孔８を管状に形成するようにしたが、通気孔８は、通気することができるのであればどのように形成するかは任意であり、例えば、スリット状に形成してもかまわない。
【００３９】
また、本実施形態では、通気孔８を視線を遮断することができるようにＬ字状に曲げて形成したが、外部からの視線を気にしなくてもよい場合には、視線を遮断することができなくてもかまわない。
【００４０】
また、本実施形態では、通気孔８を一対の持ち手２ａ，２ｂにそれぞれ設けるようにしたが、十分な通気が確保できるのであれば、どちらか一方にのみ設けるようにしてもかまわないし、他の手段で通気が確保できる場合には、図３(a)に示すように、通気孔を省略した建具２１としてもかまわない。
【００４１】
また、本実施形態では特に述べなかったが、図３(b)に示すように、持ち手の非開口側側部を透光性を有する不透明部材２３で構成した建具２２としてもかまわない。
【００４２】
不透明部材２３は、光を透過することができるのであれば、どのような材料を用いてもかまわないが、例えば、アクリル板や曇りガラスあるいはかすみガラスなどを用いることが考えられる。
【００４３】
かかる場合においては、不透明部材２３を介して光が透過するため、例えば建具２２の正面３側が廊下で背面９側が居室の場合には、廊下から居室内の点灯を確認することができる。
【００４４】
また、本実施形態では、一対の持ち手２ａ，２ｂを建具１の正面３にのみ配置するようにしたが、建具の両面にそれぞれ配置するようにしてもかまわない。
【００４５】
図３(c)及び(d)は、かかる変形例における建具２４を示した断面詳細図である。同図でよく分かるように、本変形例にかかる建具２４は、上述した建具１と同様、一対の持ち手２ａ，２ｂを正面３に配置してあるが、背面９にも、一対の持ち手２ｃ，２ｄを配置してある。なお、持ち手２ａと持ち手２ｃ、持ち手２ｂと持ち手２ｄは互いに隣接させてある。
【００４６】
また、正面３に上段配置された持ち手２ａの凹部空間６ａと背面９に上段配置された持ち手２ｃの凹部空間６ｃとを直管状に形成された通気孔２５を介して互いに連通させるとともに、正面３に下段配置された持ち手２ｂの凹部空間６ｂと背面９に下段配置された持ち手２ｄの凹部空間６ｄとを直管状に形成された通気孔２５を介して互いに連通させてある。
【００４７】
なお、本変形例にかかる建具２４の作用効果については、建具２４を両側から持つことができる点を除き、上述した建具１と同様であるので、ここではその説明を省略する。
【００４８】
【発明の効果】
以上述べたように、本発明に係る建具によれば、一対の持ち手にそれぞれ形成された手掛かりに手を掛けて建具を持つことができるので、建具を楽な姿勢で持つことが可能となり、従来のように建具の両側方をつかむための握力を必要とせず、建具を持ち上げるための力が無駄なく伝わり、建具を持ち上げる際に必要な力を従来よりも低減することができる。
【００４９】
【図面の簡単な説明】
【図１】本実施形態に係る建具を示した図で、(a)は正面図、(b)は背面図、(c)は(a)及び(b)のＡ−Ａ線に沿う断面詳細図、(ｄ)は(a)及び(b)のＢ−Ｂ線に沿う断面詳細図。
【図２】本実施形態に係る建具の作用を示した図で、(a)は斜視図、(b)は断面詳細図。
【図３】本実施形態の変形例に係る建具を示した断面詳細図。
【符号の説明】
１，２１，２２，２４        建具
２ａ，２ｂ，２ｃ，２ｄ      持ち手
３                          正面
４ａ，４ｂ                  溝状開口
５                          外部空間
６ａ，６ｂ，６ｃ，６ｄ      凹部空間
７ａ，７ｂ                  手掛かり
８，２５                    通気孔
９                          背面
１０                        外部空間
２３                        不透明部材
【図１】
0003879986.tif 000002
【図２】
0003879986.tif 000003
【図３】
0003879986.tif 000004